(57)【要約】【課題】印刷用紙を取りに来ない事の危険性に関する情報をユーザに知らせ、取り忘れを合図したのにも関わらず、印刷用紙を取りに行かない者に対してのペナルティーを設けることが可能な構成で、ユーザへ印刷用紙の取得を促す印刷装置を提供する。【解決手段】  印刷装置６における送信手段１８は、監視部１４で管理している排紙トレイ上の印刷用紙における管理情報を印刷情報と共にＰＣ１からＰＣ５のいずれかに通知し、印刷用紙を取りに来ないユーザに対して警告を行う。排紙トレイに印刷出力である印刷用紙が放置されている場合にユーザに対してＥＭａｉｌ通知を実施し、放置されているジョブの数を通知する。印刷を指示したユーザへ印刷したこと、排紙トレイから取り去ることを通達する。一定時間経過後、再通達する。【選択図】図２
2008260162.tif 000002
【特許請求の範囲】
【請求項１】
ネットワークを介して接続される端末装置から送信された印刷データを印刷する印刷手段と、
印刷完了後、印刷された前記印刷データに関する印刷情報の通知を前記端末装置に行う送信手段とを有する印刷装置であって、
前記端末装置から送信された前記印刷データを受信する受信手段と、
受信した前記印刷データから、前記印刷データに関する通知先を示す通知先情報と、前記印刷データとを抽出する抽出手段と、
抽出した前記印刷データを所定の排紙トレイに出力し、前記印刷データが排紙された排紙トレイを監視する監視手段とを有し、
前記送信手段は、抽出した前記印刷データの印刷完了後、排紙先に前記印刷データが放置されたままになっている場合、前記印刷情報に前記通知先情報として前記印刷データが放置されている旨の情報および前記印刷データを取り去ったときの当該印刷装置への返信を促す旨の情報を付加して通知することを特徴とする印刷装置。
【請求項２】
前記印刷データが放置されている旨の情報には、前記印刷データが放置され続けた場合の危険性に関する情報または前記印刷データを取り去る旨の警告の少なくとも一方を含むことを特徴とする請求項１に記載の印刷装置。
【請求項３】
前記受信手段は更に、前記返信を促す旨の情報に対する前記端末装置からの返信を受信することを特徴とする請求項１に記載の印刷装置。
【発明の詳細な説明】
【技術分野】
【０００１】
本発明は、ＰＣまたはワークステーションなどから印刷処理を実施し、印刷データ紙面に印字する印刷装置に関する。
【背景技術】
【０００２】
従来、印刷を実施したユーザが自らの印刷用紙を即座に印刷装置の排紙トレイに赴き、取得しにいかない場合、排紙トレイに情報が印字された用紙が放置されることになる。この場合、不特定多数に対し、情報放置しているため、容易にその内容を見られてしまうという、セキュリティ上の問題が発生していた。
【０００３】
また、このようなユーザがさらに複数いる場合、さらに複数のさまざまな種類の情報が放置されていることになり、情報漏洩の危険にさらされているといっても過言ではなくセキュリティ上の課題となっていた。
【０００４】
さらに従来の技術においては、印字された用紙が発生した場合に、ランプで知らせるあるいは、掲示板等で知らせるという手段があったが、そのランプを見逃したり、掲示板を見逃すことで、セキュリティ上問題の状態を早期に解決できる手段ではなかった。
【０００５】
上記問題を解決するために、特許文献１では、メ−ルボツクスビンからの印刷ジヨブの取り忘れを合図する印刷装置メ−ルボツクスシステムが提案されている。
【特許文献１】特許第２８０１８５５号公報
【発明の開示】
【発明が解決しようとする課題】
【０００６】
しかしながら特許文献１の技術では、取り忘れを合図するだけで、取り忘れを合図したのにも関わらず、印刷用紙を取りに来ない事の危険性に関して何ら示唆されていない。また、印刷用紙を取りに来ない者に対してのペナルティーを設けることについて何ら記載もその必要性も示唆されていない。
【０００７】
そこで本発明は、従来の問題に憂慮し、ユーザが即座に印刷用紙を取得しにいくよう、促す発明であり、このことにより、セキュリティを強化し、情報漏洩のリスクを軽減できるという利点をもたらす印刷装置を提供することを目的とするものである。
【課題を解決するための手段】
【０００８】
上記の目的を達成するため、請求項１に記載の発明は、ネットワークを介して接続される端末装置から送信された印刷データを印刷する印刷手段と、印刷完了後、印刷された前記印刷データに関する印刷情報の通知を前記端末装置に行う送信手段とを有する印刷装置であって、前記端末装置から送信された前記印刷データを受信する受信手段と、受信した前記印刷データから、前記印刷データに関する通知先を示す通知先情報と、前記印刷データとを抽出する抽出手段と、抽出した前記印刷データを所定の排紙トレイに出力し、前記印刷データが排紙された排紙トレイを監視する監視手段とを有し、前記送信手段は、抽出した前記印刷データの印刷完了後、排紙先に前記印刷データが放置されたままになっている場合、前記印刷情報に前記通知先情報として前記印刷データが放置されている旨の情報および前記印刷データを取り去ったときの当該印刷装置への返信を促す旨の情報を付加して通知する印刷装置であることを特徴とする。
【０００９】
請求項２に記載の発明は、請求項１に記載の印刷装置において、前記印刷データが放置されている旨の情報には、前記印刷データが放置され続けた場合の危険性に関する情報または前記印刷データを取り去る旨の警告の少なくとも一方を含むことを特徴とする。
【００１０】
請求項３に記載の発明は、請求項１に記載の印刷装置において、前記受信手段は更に、前記返信を促す旨の情報に対する前記端末装置からの返信を受信することを特徴とする。
【発明の効果】
【００１１】
本発明によれば、印刷用紙を取りに来ない事の危険性に関する情報をユーザに知らせ、また、取り忘れを合図したのにも関わらず、印刷用紙を取りに行かない者に対してのペナルティーを設けることが可能な構成で、ユーザへ印刷用紙の取得を促す印刷装置を提供することを可能とする。
【発明を実施するための最良の形態】
【００１２】
本発明を実施するために好適な実施の形態について説明する。
【００１３】
本実施形態の印刷システムについて図１、図２、図３を用いて説明する。図１は、本実施形態の印刷装置、端末装置を有するネットワーク構成の一例を示す構成図である。図２は、本実施形態の印刷装置、端末装置の関係を一例で示すブロック図である。図３は、本実施形態の印刷システムにおける印刷データの一例を示す。
【００１４】
図１のＰＣ１〜ＰＣ５（端末装置）は、ユーザが印刷指示するＰＣ（またはワークステーション）である。印刷装置６は、ＰＣ１〜ＰＣ５より印刷指示された印刷データを用紙に印刷する。
【００１５】
図１のネットワーク７は、これらを接続する接続網またはネットワークそのものである。本実施形態は、これに限定されることはなく、図１に示すネットワーク構成は一例であり、ネットワーク以外の形態でＰＣや印刷装置が接続される例（ＵＳＢなどのローカル接続）もありうる。
【００１６】
また、上述したＰＣ１からＰＣ５と、印刷装置６とが、有線・無線・ローカルを問わず、接続される形態であればどのような接続形態でも構わない。
【００１７】
また、次にＰＣ１からＰＣ５と、印刷装置６との関係を図２を用いて説明する。図２の構成も一例であって、趣旨を逸脱しない範囲内において適宜変更可能とする。なお図２に示す構成は、本発明を実施するための好適な構成である。
【００１８】
図２に示すように、ＰＣ１からＰＣ５のいずれかは、印刷装置６で印刷する文書作成、文書編集等を作成するためのアプリケーション１０と、アプリケーション１０で入力された画像データを印刷指定された印刷装置６が解釈できる情報に変換または管理するプリンタドライバ１１とを有する。
【００１９】
プリンタドライバ１１は、アプリケーション１０の印刷要求を、プリンタが解釈できるプリンタ言語（ＰＤＬ）や印刷データに変換する機能を有する。
【００２０】
またプリンタドライバ１１は、アプリケーション１０などからの印刷時の給紙トレイ、排紙トレイ、用紙サイズ、用紙種類など、各種印刷に関わる機能設定を行なうことができる機能を有する。
【００２１】
プリンタドライバ１１や、印刷装置６が１つあるいは複数の印刷用紙を保持するトレイとして排紙トレイと、モノクロまたはカラーインクまたはトナーにて印刷するシステム・装置を含み、また印刷業務に関わるすべての手段、装置、メディアを含む印刷環境にある。
【００２２】
印刷装置６は、印刷原稿の印刷を制御する印刷制御部１２と、排紙トレイを監視する監視部１４と、ＰＣ１からＰＣ５のいずれかのプリンタドライバ１１と通信を行う通信制御部１３とを有する。
【００２３】
印刷制御部１２は、印刷原稿を印刷する印刷手段１５と、印刷原稿の画像データを抽出する抽出手段１６とを有する。
【００２４】
通信制御部１３は、プリンタドライバ１１から送信された画像データを受信する受信手段１９と、プリンタドライバ１１に対して印刷原稿の画像データを含む印刷情報を送信する送信手段１８とを有する。
【００２５】
送信手段１８は、監視部１４で管理している排紙トレイ上の印刷用紙における管理情報を印刷情報と共にＰＣ１からＰＣ５のいずれかに通知する。
【００２６】
送信手段１８は、詳細に後述するが、排紙トレイの印刷用紙の管理情報の他にユーザに対して排紙トレイの印刷用紙の置き忘れを通知する。さらに、印刷用紙の置き忘れによる危険性をユーザに対して直接的または間接的にＰＣ１からＰＣ５のいずれかを通じて通知する。また、印刷用紙を取りに来ないユーザに対して警告を行う。
【００２７】
上述したＰＣ１〜ＰＣ５のいずれかにおいて、印刷指示をした場合に、上記ＰＣ上で印刷データが作成され、何らかの接続形態（図１ではネットワーク７）を通じて、上記印刷装置６に印刷データが送信される。
【００２８】
印刷データには、上記ＰＣ１〜ＰＣ５のいずれかにおいて、印刷データが作成される際に、印刷データに印刷を指示したユーザ名およびＥｍａｉｌアドレスが情報として付加される。
【００２９】
この様子を図３の印刷データ図に示す。図３に示す様に、印刷装置６には、ユーザ名＋Ｅｍａｉｌアドレス＋印刷データが送られる。
【００３０】
このユーザ名やＥｍａｉｌアドレスは、上記ＰＣ１〜ＰＣ５のいずれかにおいて、管理される情報であり、印刷の際に、前記ＰＣ上で印刷データを作成する際の処理において、容易に入手できる情報である。
【００３１】
または入手先を印刷データを作成する際に処理を実行するプリンタドライバで管理するなどの方法もある。本実施形態では、これら情報（ユーザ名やＥｍａｉｌアドレス）を管理する方法に制限を与えないものとする。
【００３２】
上記ＰＣ１〜ＰＣ５のいずれかにおいて、印刷を指示された印刷装置６は、印刷データ中に含まれる、ユーザ名および、Ｅｍａｉｌアドレス情報を入手し、印刷データにより印刷を実施後、該ユーザへ、Ｅｍａｉｌにて、排紙があったことを通知する（図３参照）。
【００３３】
本実施形態では、排紙があったことを通知することで、排紙トレイに印刷された用紙が放置されることを予防することができ、セキュリティへのリスクを軽減することができる。
【００３４】
とりわけ、本実施形態では、印刷を指示したユーザへ直接的または間接的に印刷したこと、排紙トレイから取り去ることを通達することにて、ユーザへ、その手段、その手段が搭載される装置およびメディアにて、リスクを軽減する。これは、セキュリティを遵守することを促すことで、従来の通達手段より、より強化された通達手段でユーザ個々へ通達し、正常な業務形態を履行できるという利点を期待できる。
【００３５】
次に、上述した本実施形態の印刷システムにおけるＥｍａｉｌの文面について図４、図７を用いて説明する。図４は、本実施形態の印刷システムのＥｍａｉｌの文面の一例を示す。図７は、本実施形態の印刷システムにおける第３の警告例を示す。
【００３６】
また、本Ｅｍａｉｌ通知を該ユーザのみならず、現在まで印刷装置６の排紙トレイに印刷出力である印刷用紙がある（放置されている／残っている）。ユーザ全てに図７のＥｍａｉｌの第３の警告例で示すＥｍａｉｌ通知を実施する。その際、放置されているジョブの数を通知する。
【００３７】
本実施形態では、印刷を指示したユーザへ直接的または間接的に印刷したこと、排紙トレイから取り去ることを通達する。これを一定時間経過後において実施するが、さらに印刷を指示し、排紙トレイに放置された印刷のジョブの数を放置している全ユーザへ通達することで、よりユーザへ、その手段、その手段が搭載される装置およびメディアにて、リスクを軽減する。
【００３８】
これは、従来の手段よりも強化された手段でユーザ個々へ通達し、さらに他の該印刷装置ユーザへも通知することで、印刷装置上で配慮しなければならない印字された用紙のジョブ数を知らせることで、よりセキュリティを遵守するように促し、正常な業務形態を履行できるという利点を期待できる。
【００３９】
本実施形態においても、排紙トレイに印刷された用紙が放置されることを予防することができ、セキュリティへのリスクを軽減することができる。
【００４０】
これら、Ｅｍａｉｌ通知は、一定時間経過後、再度送信先である該ユーザに繰り返し通知（送信）される。
【００４１】
これにより、排紙トレイに印刷された用紙が放置されることを予防することができ、セキュリティへのリスクを軽減することができる。
【００４２】
本実施形態では、印刷を指示したユーザへ直接的または間接的に、印刷したこと、排紙トレイから取り去ることを通達することを一定時間経過後において実施し、さらに印刷を指示し、排紙トレイに放置された印刷のジョブの数を放置している全ユーザへ通達するが、この通達を一定の時間経過後、繰り返し通達を送信することにより、ユーザへ、その手段、その手段が搭載される装置およびメディアにて、リスクを軽減する。
【００４３】
これは、従来の手段よりも強化された手段でユーザ個々へ繰り返し通達することにより、セキュリティを遵守することを促すことを繰り返すことで正常な業務形態を履行しなければならないことを効果的にユーザに知らしめることが可能であり、その結果として正常化されるというさらなる利点を期待できる。
【００４４】
また、煩雑な制御を簡略化し、負担のないセキュリティ環境を構築できるという利点を期待できる。
【００４５】
本実施形態の印刷システムにおけるユーザへのＥｍａｉｌ通知の別の態様について図４、図５、図７を用いて説明する。図４は、本実施形態の印刷装置におけるＥｍａｉｌ通知の第１の警告例を示す。図５は、本実施形態の印刷装置におけるＥｍａｉｌ通知の第２の警告例を示す。本実施形態は、これに限定されることはなく、趣旨を逸脱しない範囲において、適宜変更可能とする。図４、図５、図７のそれぞれは、ユーザへのＥｍａｉｌ通知方法の一例である。
【００４６】
図４、図５、図７に示すような、Ｅｍａｉｌ通知を受け取ったユーザは、Ｅｍａｉｌの文面により、自分の印刷出力である印刷用紙が前記印刷装置の排紙トレイに放置されている（残っている）ことを知る。
【００４７】
ユーザは、排紙トレイから自分の印刷した印刷用紙を取り去ったなら、Ｅｍａｉｌの通知への返信として、取り去ったことを通知する。
【００４８】
通知方法は本実施形態としては、返信文に取り去ったことを通達するメッセージを書き込み返信することとしている。
【００４９】
文例としてはＤｏｎｅとしている。なお、上述したように、この文例は、あくまでも一例に過ぎず、返信手段を特定するものではない。別のメッセージでも良く、空メールで実施可能であればそのような手段でも構わないとする。
【００５０】
本実施形態ではＥｍａｉｌにて返信するという手段を用いているところを重視する。また、本例であげたＤｏｎｅの返信を一時的停止、つまり現在放置されている印刷のジョブ（印刷済みの用紙）はないという状態を装置に知らせるものであり、恒久的に本発明で述べられているＥｍａｉｌ通知を停止させるものではない。
【００５１】
再度ユーザが同様に印刷を実施したり、放置状態を繰り返すことにより、Ｅｍａｉｌ通知は実行されることになる。その場合は、再度Ｄｏｎｅを返信することで前述通り停止させることができる。
【００５２】
恒久的にこのＥｍａｉｌ通知を停止させる、そして再開させるメッセージワードを存在させることも可能である。
【００５３】
例えば、恒久的停止：Ｄｉｓａｂｌｅ、再開：Ｅｎａｂｌｅと定義し（こちらも一例なのでメッセージの文字列に制限を与えるものではない）装置がこのメッセージを認識し、その機能に応じて、Ｅｍａｉｌの送信、停止を制御することにより、恒久的停止、再開動作を実行することも可能である。
【００５４】
またこの応用例として、前記装置のパネル上の指示で、装置に直接操作にて、"取り去り済み""恒久的停止"、"再開"を通知設定することも可能であることを追記しておく。
【００５５】
本実施形態では、印刷を指示したユーザへ直接的または間接的に、印刷したこと、排紙トレイから取り去ることを通達することを一定時間経過後において実施し、さらに印刷を指示し、排紙トレイに放置された印刷のジョブの数を放置しているユーザへ通達し、またこの通達を一定の時間経過後、繰り返し実施する、ユーザより、排紙トレイから放置された印刷用紙を取り去ったことを装置に通達する手段を有する、装置、メディアにて、セキュリティへのリスクを軽減した上で、ユーザへの煩雑な通知を停止することが可能となる。
【００５６】
また、本実施形態におけるメリットを生かした上で、ユーザへの煩雑な通知を停止することが可能となり、管理されたセキュリティルールを構築することが可能となる。
【００５７】
排紙トレイに放置されている印刷ジョブの数は、前記印刷装置で印刷を実施したジョブの数および、Ｅｍａｉｌ返信あるいは前記印刷装置のパネルでの直接操作による"取り去り済み"の通知などによる通知の数から、その差で算出することができる。
【００５８】
また、前記印刷装置は、各ユーザとユーザ毎の印刷ジョブおよび印刷の際の印刷ページ数を、管理およびカウントすることが可能である。
【００５９】
印刷ジョブは通常ユニークな印刷情報で管理されうるが、時間とユーザ名で管理しても良いし、印刷ジョブにユニークなジョブ識別のための情報を前記プリンタドライバより印刷データに付加してもらうことで、管理する情報として利用することが可能である。
【００６０】
この管理されたユーザ毎のジョブ数、ページ数は、前記Ｅｍａｉｌ通知の文面で活用する。図５に一例を示す。
【００６１】
本実施形態では、印刷を指示したユーザへ直接的または間接的に、印刷したこと、排紙トレイから取り去ることを通達することを一定時間経過後において（も）実施し、さらに印刷を指示し、排紙トレイに放置された印刷のジョブの数を放置しているユーザへ通達するが、その際に放置しているユーザ毎に、放置している印刷のジョブの数、ページ数を通達する手段を有する、装置、メディアにて、より放置へのリスクをユーザへ知らしめることが可能となる。
【００６２】
これは、従来の手段よりも強化された手段でユーザ個々へ通達すること、該ユーザ自身の印刷に関するより詳細な情報をも通達することにより、セキュリティを遵守することを強く促し、ユーザ自身も、放置数やページ数へことある毎に憂慮することで、正常な業務形態化へ誘導できるという利点を期待できる。
【００６３】
また、排紙トレイに印刷された用紙が放置されることを、より強くユーザへ予防を促すことが可能となり、さらにセキュリティへのリスクを軽減することができる。
【００６４】
本実施形態の印刷装置における処理について図８を用いて説明する。図８は、本実施形態の印刷システムにおける印刷装置側の処理を示すフローチャートである。
【００６５】
印刷データが受信される（ステップＳ１０１）。印刷データにおけるユーザ名、Ｅｍａｉｌアドレス、印刷ジョブ情報を分離する（ステップＳ１０２）。上記分離後、所定の管轄にプールする（ステップＳ１０３）。
【００６６】
ユーザ名が新規か否かを判断する（ステップＳ１０４）。新規であると判断された場合（ステップＳ１０４／ＹＥＳ）、ユーザ名をユーザ名ごとのリストに登録する（ステップＳ１０５）。
【００６７】
その後、リスト内、印刷ジョブ数および取り去り数、印刷ページ数、関連を０に初期化する（ステップＳ１０６）。
【００６８】
ユーザ毎のリスト内、Ｅｍａｉｌアドレスを入手した情報で初期化する（ステップＳ１０７）。
【００６９】
新規ではないと判断された場合（ステップＳ１０４／ＮＯ）、ユーザ毎のリスト内、印刷ジョブ数を＋１する（ステップＳ１０８）。
【００７０】
その後、ユーザ毎のリスト内、印刷ページ数関連を更新する（ステップＳ１０９）。
【００７１】
その後、正常に印刷が完了したか否かが判断される（ステップＳ１１０）。正常に完了したと判断された場合（ステップＳ１１０／ＹＥＳ）、通知Ｓｔａｔｕｓ＝Ｅｎａｂｌｅであるか否かを判断される（ステップＳ１１１）。
【００７２】
正常に完了していないと判断された場合（ステップＳ１１０／ＮＯ）、エラーリカバリ処理に移行する。
【００７３】
通知Ｓｔａｔｕｓ＝Ｅｎａｂｌｅであると判断された場合（ステップＳ１１１／ＹＥＳ）、Ｅｍａｉｌにて警告を通知する（ステップＳ１１２）。
【００７４】
通知Ｓｔａｔｕｓ＝Ｅｎａｂｌｅではないと判断された場合（ステップＳ１１１／ＮＯ）、処理を終了する。
【００７５】
ステップＳ１１２の処理で、Ｅｍａｉｌにて警告を通知後、印刷が実行されたり、印刷原稿が放置状態が繰り返されているか否かが判断される（ステップＳ１１３）。
【００７６】
繰り返されていると判断された場合（ステップＳ１１３／ＹＥＳ）、一定時間経過される（ステップＳ１１４）。その後、ステップＳ１１１の処理に戻る。
【００７７】
繰り返されていないと判断された場合（ステップＳ１１３／ＮＯ）、処理を終了する。
【００７８】
上述した処理と、別処理で行なわれる非同期Ｅｖｅｎｔについて説明する。Ｅｍａｉｌ情報を受信される（ステップＳ２０１）。受信後、通知Ｓｔａｔｕｓに受信した設定をセットする（ステップＳ２０２）。
【００７９】
パネル上の操作で、取り去り済みを指示設定可能である。下記にパネル例をしめす。パネルでは、ユーザ名を一覧あるいは入力にて指定すると、排紙トレイに放置されていると思われるそのユーザの印刷ジョブ数、印刷ページ数（取り去るべきページ数）が表示される。ユーザはトレイから取り去った後、あるいは取り去ることを決定した後に、＜Ｄｏｎｅ＞を操作（クリックなどの操作にて）して取り去り済みを指示設定することができる。
------------------------------------------------
ユーザ名：USER＿＿（入力）＜一覧＞
印刷ジョブ数：３ジョブ
印刷ページ数：３０頁      ＜Done＞＜Cancel＞
------------------------------------------------
【００８０】
また、特別な画面では下記のような、恒久停止および再開を指示設定可能である。
※Ｄｉｓａｂｌｅ：恒久停止／Ｅｎａｂｌｅ：再開
------------------------------------------------
ユーザ名：USER＿＿（入力）＜一覧＞
＜Disable＞＜Enable＞
------------------------------------------------
【００８１】
印刷データ＋ユーザ名＋Ｅｍａｉｌアドレス＋"ジョブ識別情報"として、ジョブを識別するユニークな情報としてジョブ識別情報を日付＋時間＋Ｍａｃアドレスとして例をあげる。
例：20070220133959004032456Ｅ９９
【００８２】
印刷データ中のページ数をカウントする手段を有すること。あるいは、印刷データ中に、印刷ページ数情報を有すること。
【００８３】
補足説明※＜トレイに放置されている（であろう）印刷ジョブ数の算出＞
【００８４】
装置の管理方法として、本例では単純な差分を示す。下記のような単純なるユーザ毎のリストを備える。リストは新しいユーザが印刷を実施したら、新規に作成される。リスト上で、該ユーザの印刷ジョブ数をカウントし、さらに取り去りの操作数をカウントすることで、放置数を単純算出する。
-------------------------
ユーザ名：USER
TOTAL印刷ジョブ数：１００
取り去り数：９８
Ｅｍａｉｌアドレス：xyz@nts.xxx.co.jp
TOTAL印刷ページ数：９９０
Latest印刷ページ数：２
通知Status：Enable
-------------------------
なお、上記ユーザ毎のカウンタをリセットする手段を装置は有する。
【００８５】
本発明によるこれらの正常な業務形態あるいは業務形態化により、従来技術では問題となっていた社内あるいはグループ内のセキュリティ環境の向上へ大きく寄与できる。
【図面の簡単な説明】
【００８６】
【図１】本実施形態の印刷装置、端末装置を有するネットワーク構成の一例を示す図である。
【図２】本実施形態の印刷装置、端末装置の関係を一例で示すブロック図である。
【図３】本実施形態の印刷システムにおける印刷データを示す図である。
【図４】本実施形態の印刷システムにおける第１の警告を示す図である。
【図５】本実施形態の印刷システムにおける第２の警告を示す図である。
【図６】本実施形態の印刷システムにおけるＥｍａｉｌ取り去り済み返信例を示す図である。
【図７】本実施形態の印刷システムにおける第３の警告を示す図である。
【図８】本実施形態の印刷システムにおける印刷装置側の処理を示すフローチャート図である。
【符号の説明】
【００８７】
１、２、３、４、５    ＰＣ
６    印刷装置
７    ネットワーク
１０    アプリケーション
１１    プリンタドライバ
１２    印刷制御部
１３    通信制御部
１４    監視部
１５    印刷手段
１６    抽出手段
１８    送信手段
１９    受信手段
【図１】
2008260162.tif 000003
【図２】
2008260162.tif 000004
【図３】
2008260162.tif 000005
【図４】
2008260162.tif 000006
【図５】
2008260162.tif 000007
【図６】
2008260162.tif 000008
【図７】
2008260162.tif 000009
【図８】
2008260162.tif 000010